【事件の表示】
　特願２００５−　８１７４６「医用画像表示装置及びプログラム」拒絶査定不服審判事件〔平成１８年１０月　５日出願公開、特開２００６−２６２９７７〕について、次のとおり審決する。
【結　論】
　本件審判の請求は、成り立たない。
【理　由】
第１　手続の経緯
　本願は，平成１７年３月２２日を出願日とするものであって，平成２３年４月１２日付けで拒絶査定がされ，これに対し，同年６月２１日に拒絶査定不服審判の請求がされるとともに，同日付けで手続補正がなされたものである。そして，当審において，同年７月１３日付け前置報告の内容を同年８月１日付けで審尋し，同年９月２２日付けで回答書が提出された後，当審で，平成２４年１月１８日付けで拒絶理由を通知したところ，その応答期間中の同年３月２２日に意見書および手続補正書が提出されたものである。
　
第２　本願発明
　本願の請求項１〜４に係る発明は，平成２４年３月２２日付けの手続補正で補正された，特許請求の範囲の請求項１〜４に記載された事項により特定されるとおりのものと認められ，その請求項１に係る発明は，次のとおりのものである。
　
「【請求項１】
　画像記憶手段に記憶された医用画像を読み出し，読影画面上に
複数の表示枠を設けて，１つの表示枠に１つの
　前記読影画面に表示された医用画像に関係する他の医用画像の
情報の
　前記操作手段により一覧表示が指示操作されると，前記読影画面に表示された医用画像を示す情報によって当該医用画像に関係する他の医用画像
の情報
　前記操作手段により前記一覧表示から表示対象の医用画像を選択操作可能であるとともに，当該選択された医用画像の
表示位置として，
に設けられた複数の表示枠のうち，医用画像が表示されていない任意の表示枠の１つを
　前記表示制御手段は，前記他の医用画像を示す情報の一覧表示
が指示される毎
他の医用画像を示す情報を取得し，前記一覧表示の表示項目として，
一覧表示から前記操作手段により選択された医用画像を前記読影画面の前記指定された
表示枠
表示し，当該表示枠を既に表示されている医用画像の表示枠と並列
（以下，「本願発明」という。）
　
第３　当審の拒絶理由通知
　当審における拒絶理由通知の概略は，以下のとおりである。
  　
１）　本願は，明細書及び図面の記載が下記の点で不備のため，特許法第３６条第６項第１号及び第２号に規定する要件を満たしていない。　
　
２）　本願の請求項１〜４に係る発明は，その出願前日本国内または外国において頒布された刊行物である特開２００２−２２４０４５号公報（以下，「刊行物１」という。）に記載された発明，特開２００４−３０５２７２号公報（以下，「刊行物２」という。）及び特開平１０−２２５４４１号公報（以下，「刊行物３」という。）に記載された技術事項，及び周知技術に基づいて容易に発明をすることができたものであるから，特許法第２９条第２項の規定により，特許を受けることができない。
　
第４　引用刊行物とその記載事項
　
１　刊行物１
　本願出願前に頒布された刊行物１には，図面とともに，次の事項が記載されている。（なお，下線は当審にて記したものである。以下同様。）
　
（１−ア）「【０００１】
【発明の属する技術分野】本発明は，ディジタルデータとして変換され保存された静止画像データおよび動画像データを，コンピュータシステムにより検索して，所要の静止画像および動画像を任意に選択および調整しながら，ディスプレイ表示する医用画像表示システムとして適用することができる画像装置に関するものである。
　
【０００２】
【従来の技術】超音波診断装置やＸ線ＣＴ装置，磁気共鳴イメージング診断装置（ＭＲＩ），核医学診断装置，循環器Ｘ線診断システム，Ｘ線診断装置等（以下，これらを総称してモダリティという）は，それぞれ画像データ等に関するディジタル化が促進されることにより，前記モダリティで得られる画像やそれに伴うデータ等を，外部コンピュータシステムに保存して，管理する医用システムが種々開発されている。」
　
（１−イ）「【００１６】１．  システム構成（１）
図１は，本発明に係る医用画像表示システムのシステム構成を示す概略説明図である。すなわち，図１は，スタンドアロン形式によるコンピュータに適用し得るシステム構成を示すものであって，参照符号１０はコンピュータ本体部を示し，この本体部１０には，ＣＰＵ１２と，画像信号を画像データとして取り込むためのエンコーダ部１３，バッファ１４および画像ファイル１５と，その他の医用データに関するデータベース１６とを，それぞれ備えている。
　
【００１７】前記コンピュータ本体部１０に対して，その周辺機器として，画像信号を得るための医用機器１８，画像信号取り込み用リモートスイッチ１９，遠隔操作用リモコン２０，ＣＲＴや液晶画面等からなるデイスプレイ手段２２，マウスやキーボード等からなる入力インタフェース２３が，それぞれ接続配置されている。
　
【００１８】２．  システム構成（２）
また，図２は，総合画像ファイル２４と総合データベース２５とを備えたサーバ２６と，入力参照専用端末からなるクライアント２８とをハブ２９により結合したクライアントサーバシステム形式による複数のコンピュータを接続したシステム構成を示すものである。この場合，前記ハブ２９に接続される各コンピュータＣＰ1 ，ＣＰ2 ，…の構成は，前記図１に示すコンピュータ本体部１０およびその周辺機器と基本的に同一であり，従って同一の構成要素には同一の参照符号を付して，その詳細な説明は省略する。なお，本実施例において，各コンピュータ本体部（ＣＰ1 ，ＣＰ2 ）における画像ファイル１５および医用データベース１６は，それぞれ取り込んだ画像データあるいは医用データを一時的に保存するためのものであり，最終的にはサーバ２６の総合画像ファイル２４および総合データベース２５に保存される。」
　
（１−ウ）「【００２４】４．  画像の選択および表示
図６ないし図１３は，本発明に係る医用画像表示システムにおける検索した画像情報を表示するためのディスプレイ手段による画面表示例を示すものである。この場合，図３に示す表示画面の右端には，画像の選択および表示を行うためのツールボタン３４が設定されている。すなわち，これらのツールボタン３４は，「検索」ボタン３４Ａ，「画像表示」ボタン３４Ｂ，「同期再生」ボタン３４Ｃ，「レポート作成」ボタン３４Ｄ，「レポート表示」ボタン３４Ｅ，「検査情報」ボタン３４Ｆおよび「終了」ボタン３４Ｇである。
　
【００２５】そこで，前記「検索」ボタン３４Ａを操作すると，表示画面が図３に示す検索画面に切り替えられる。「画像表示」ボタン３４Ｂを操作すると，図６に示すように，画像表示領域３３に予め検索して選択した画像を表示する。
「同期再生」ボタン３４Ｃを操作すると，図１２（ａ）および図１３（ａ）に示すように，画像表示領域３３に４分割画面を表示する。
　
【００２６】しかるに，
図６において，画像表示領域３３の右側には，図７に拡大して示すように，検索され選択された被検者の検索条件（図３および図４参照）を階層表示（ツリービュー）した階層表示領域３５Ａが設けられている。そして，この場合，図８に示すように，前記階層表示領域３５Ａの階層表示（ツリービュー）から，画像を表示したいリストを選択（複数選択可能）し，画像表示領域３３へドラッグ・アンド・ドロップ操作により，前記選択されたリストの画像を表示することができる。
　
（１−エ）「【００３１】７．  分割画面による画像表示
図８に示す画像表示画面において，「同期再生」ボタン３４Ｃを操作すると，静止画像の場合には，図１２の（ａ）に示すように，また動画像の場合には，図１３の（ａ）に示すように，
画像表示領域３３においてそれぞれ静止画像または動画像の４分割画面３３(1) ，３３(2) ，３３(3) ，３３(4) がそれぞれ表示される
　
【００３２】ａ．静止画像の場合
図１２の（ａ）に示す静止画像の場合には，階層表示３５から，画像を表示したいリストを選択（複数選択可能）し，画像表示領域３３の４分割画面３３(1)〜３３(4) のいずれかへドラッグ・アンド・ドロップ操作により，前記選択されたリストの画像を表示することができる。
　
　以上の記載事項（１−ア）〜（１−エ）を総合すると，上記刊行物１には，以下の発明が記載されていると認められる。
　
　「サーバ２６の総合画像ファイル２４に保存された画像を読み出し，表示画面上に当該画像を表示するディスプレイ手段２２と，
　マウスやキーボード等からなる入力インタフェース２３と，を備えた医用画像表示システムにおいて，
　ディスプレイ手段２２の表示画面には，画像表示領域３３と階層表示領域３５Ａが設けられ，
　階層表示領域３５Ａに表示された，検索され選択された被検者の検索条件の階層表示（ツリービュー）から，画像を表示したいリストを選択（複数選択可能）し，画像表示領域３３の４分割画面３３(1) 〜３３(4)のいずれかへドラッグ・アンド・ドロップ操作により，前記選択されたリストの画像を表示する医用画像表示システム。」（以下，「引用発明」という。）
　
２　刊行物２
　本願出願前に頒布された刊行物２には，図面とともに，次の事項が記載されている。
　
（２−ア）「【０００１】
【発明の属する技術分野】
本発明は，医用画像表示方法及び医用画像表示システムに関するものである。
　
【０００２】
【従来の技術】
医療の分野においては，例えば，コンピュータ断層画像撮影装置（以下，「ＣＴ（Ｃｏｍｐｕｔｅｄ  Ｔｏｍｏｇｒａｐｈｙ）」と記す）やコンピュータ放射線画像撮影装置（以下，「ＣＲ（Ｃｏｍｐｕｔｅｄ  Ｒａｄｉｏｇｒａｐｈｙ）」と記す），核磁気共鳴イメージング装置（以下，「ＭＲＩ（Ｍａｇｎｅｔｉｃ  Ｒｅｓｏｎａｎｃｅ  Ｉｍａｇｉｎｇ）」と記す）等を備える医用画像撮影システムが利用されている。この医用画像撮影システムは，被験体である患者を撮影し，撮影した医用画像をデジタル画像データとして取得するシステムである。」
　
（２−イ）「【０００５】
このような医用画像撮影システムにおいて，医用画像を表示する場合，診断効率を向上させるため，複数の医用画像を視認性よく表示画面に表示させる画像収集装置が知られている（例えば，特許文献１）。図６を参照して，画像収集装置に表示される医用画像の表示画面例について説明する。
図６に示すように，医用画像表示画面１３４には，読影を行うため，等倍又はそれに準ずる大きさの医用画像を表示する領域と，関連する複数の医用画像を縮小した参照画像を表示するための領域が設けられている。
　
（２−ウ）「【００２０】
まず，本実施の形態の構成を説明する。
図１は，本発明に係る医用画像表示システム１００のシステム構成を示す概念図である。図１に示すように，医用画像表示システム１００は，医用画像を表示して画像処理を行う医用画像表示装置１と，患者に放射線を照射して医用画像の撮影を行う医用画像撮影装置２（例えば，Ｘ線撮影装置，ＣＲ装置），放射線エネルギーを蓄積した輝尽性蛍光体から医用画像を読み取る医用画像読取装置３，取得された医用画像を撮影オーダ情報とともに管理する医用画像データベース４等から構成されている。
　
【００２１】
医用画像表示システム１００は，複数台の医用画像表示装置１と，医用画像撮影装置２と，医用画像読取装置３と，医用画像ＤＢ４と，がネットワークＮを経由してデータの送受信及び入出力が可能となるように接続され，診療に利用する医用画像の取得，蓄積，利用，管理を行うシステムである。なお，各装置の設置台数は図示した例に限定されず，任意に設置可能である。」
　
（２−エ）「【００２３】
図２は，本実施の形態における医用画像表示装置１の機能的構成を示すブロック図である。図２に示すように，医用画像表示装置１は，ＣＰＵ１１，入力部１２，表示部１３，通信制御部１４，ＲＡＭ１５，記憶装置１６等を備えて構成され，各部はバス１７により接続されている。
　
【００２４】
ＣＰＵ（Ｃｅｎｔｒａｌ  Ｐｒｏｃｅｓｓｉｎｇ  Ｕｎｉｔ）１１は，記憶装置１６に記憶されているシステムプログラムや各種制御プログラムを読み出し，ＲＡＭ１５に展開し，該制御プログラムに従って各部の動作を集中制御する。また，ＣＰＵ１１は，ＲＡＭ１５に展開したプログラムに従って各種処理を実行し，その処理結果をＲＡＭ１５に一時記憶させるとともに，表示部１３に表示させる。」
　
（２−オ）「【００３２】
また，記憶装置１６は，ネットワークＮを介して，医用画像ＤＢ４から受信した医用画像及び撮影オーダ情報を対応付けて記憶する。この撮影オーダ情報には，例えば，撮影した患者の氏名，性別，患者ＩＤ等の患者に関する情報（以下，「患者情報」と記す）や，撮影日時，撮影部位，撮影方法等の撮影に関する情報（以下，「撮影情報」と記す）が含まれ，どの患者に対して，どのような撮影を行ったかという情報を示している。
したがって，医用画像に対応付けて記憶される撮影オーダ情報に含まれる患者ＩＤ，撮影日時，撮影部位等に基づいて，一の医用画像に関連する医用画像を，関連医用画像として記憶装置１６から抽出することができる。すなわち，関連画像は，一の医用画像に関連する同一患者の異なる部位（例えば，同一患者における胸部の斜位とＰ→Ａ），同一患者の異なる撮影日時（例えば，同一患者における当日と過去），同一部位の異なる患者（例えば，同一部位における典型症例）等の医用画像を含むものとする。
　
（２−カ）「【００３４】
図３は，医用画像表示装置１のＣＰＵ１１により実行される医用画像表示処理を示すフローチャートである。図３に示すように，ＣＰＵ１１は，入力部１２を介して，医用画像を表示する指示が入力されると（ステップＳ１；ＹＥＳ），ＣＰＵ１１は，指定された医用画像及びこの医用画像に対応する撮影オーダ情報を記憶装置１６から取得する（ステップＳ２）。
　
【００３５】
次いで，ＣＰＵ１１は，取得した撮影オーダ情報と，記憶装置１６に記憶されている医用画像に対応付けられた撮影オーダ情報とに基づいて，指定された医用画像に関連する医用画像が記憶装置１６に記憶されているか否かを判別する（ステップＳ３）。ここで，関連する医用画像とは，例えば，撮影日時，患者ＩＤ，撮影部位等に基づいて判別されるものであり，撮影日時と患者ＩＤが同一の医用画像や患者ＩＤと撮影部位が同一の医用画像，或いは，複数の患者の撮影部位が共通する医用画像を関連する医用画像として抽出する。
　
【００３６】
なお，これらの関連付けは，予めデフォルトにより設定されているか，ユーザにより設定される構成であってもよい。また，ユーザにより，任意の医用画像が関連する医用画像として指定される構成であってもよく，ユーザにより設定された対応関係を示す情報が撮影オーダ情報に含まれる構成であってもよい。
　
【００３７】
続いて，関連医用画像がある場合（ステップＳ３；ＹＥＳ），ＣＰＵ１１は，記憶装置１６から関連医用画像を取得する（ステップＳ４）。
　
（２−キ）「【００４０】
さらに，ＣＰＵ１１は，指定された医用画像を等倍又はそれに準ずるサイズにて画面中央部に配置させるとともに，算出された表示可能枚数に基づいて，生成した参照画像を画面下部に配置して，医用画像表示画面を生成する（ステップＳ８）。なお，関連医用画像の参照画像が表示可能枚数以上ある場合，医用画像表示画面には，表示可能な枚数のみを表示させ，残りの関連医用画像については，スクロール操作に応じて表示させる。そして，ＣＰＵ１１は，生成した医用画像表示画面を表示部１３に表示させ（ステップＳ１０），本医用画像表示処理を終了する。」
　
（２−ク）「【００５２】
図５は，同一の患者において，複数の医用画像を比較して読影を行う場合に，表示される医用画像表示画面の一例を示す図である。図５に示すように，医用画像表示画面１３３の中央部は，左右に分割され，等倍又はそれに準ずるサイズにて同一患者の医用画像が２枚表示されている。図５においては，左側に当日に撮影された医用画像，右側には過去に撮影された医用画像が表示されている。また，医用画像表示画面の１３３の下部は，上下に分割され，上段には当日に撮影された参照画像，下段には，過去に撮影された参照画像が表示される。なお，これらの参照画像は，例えば，撮影部位等に基づいてそれぞれが上下段で対応するように表示されている。
　
【００５３】
この構成によれば，読影を行う医用画像については，左右に配置して表示させることにより，視認性が向上し，比較読影を楽に行うことができる。また，参照画像を画面下部に配置させ，当日と過去に撮影された参照画像を，撮影部位等に基づいて，それぞれ上下段に対応させて表示させることにより，参照画像の視認性を向上させて，比較読影を容易に行わせることができる。
　
【００５４】
なお，当日と過去の医用画像を比較して読影する際に，比較読影の精度を向上させるため，
読影時には医用画像のみを表示させ，読影医の指示に応じて，医用画像の下部に参照画像を表示させる構成であってもよい。
　
３　刊行物３
　本願出願前に頒布された刊行物３には，図面とともに，次の事項が記載されている。
　
（３−ア）「【０００１】
【発明の属する技術分野】本発明は医用画像観察装置における表示画像選択方法に係り，特にネットワーク等を介して医用画像観察装置にランダムに送られてくる医用画像を読影漏れがないように医師が画像を選択および表示できるようにした医用画像観察装置における表示画像選択方法に関する。」
　
（３−イ）「【００１０】図１は，本発明が適用される医用画像管理システムの構成を示した図である。同図に示すように，例えば，Ｘ線検査装置等によって得られた画像フイルムはフイルムスキャナー１によってデジタルデータに変換されてネットワークを介して医用画像観察装置１０に送られる。同様に，ＣＲ装置２，ＭＲＩ装置３，ＣＴ装置４，ＤＳＡ装置５，核医学診断装置６などによって取得された画像はネットワーク７を介して医用画像観察装置１０に送られる。医用画像観察装置１０はこれらの診断装置からネットワーク７を介して次々に送られてくる画像を磁気ディスク１２に記録保存する。
　
【００１１】医師は磁気ディスク１２に保存された複数の画像の中から所望の患者の画像をキーボード１４やマウス１６等の入力装置を使用して選択し，モニタ１８にその画像を表示させ，この画像を見ながら患者の診断を行う。
　
【００１２】図２は，本発明が適用される上記医用画像観察装置１０の内部構成図である。同図に示すように，医用画像観察装置は，通常のコンピュータシステムからなり，コンピュータ本体（ＣＰＵ２０：中央演算処理装置），磁気ディスク１２，キーボード１４やマウス１６等の入力装置，モニタ１８から構成される。コンピュータ本体（ＣＰＵ２０）は，通信インターフェース２２を介してネットワーク７と接続され，ネットワーク７を介して送られてくる画像を磁気ディスク１２に記録する。
　
【００１３】また，ＣＰＵ２０はネットワーク７から画像とともに送られてくるインデックス情報（例えば，患者名や撮影日等の各画像データに関連する情報）を画像とともに，磁気ディスク１２に記録する。
　
【００１４】医師が磁気ディスク１２に記録された画像を読影する場合，ＣＰＵ２０はまず磁気ディスク１２に画像とともに記録されたインデックス情報を読み出し，磁気ディスク１２に記録されている画像の患者名等のインデックス情報をモニタ１８にリスト表示する（患者リスト画面，画像リスト画面の表示）。このとき，ＣＰＵ２０は，磁気ディスク１２に記録されている読影サイン（読影サインについては後述する。）を参照し，読影済みの画像のリストには，読影済みであることを示すマーク（括弧マーク）を付してモニタ１８に表示する。これにより，読影済みと未読影の画像データが容易に判別できるようになっている。　
　
【００１５】医師は，このモニタ１８に表示されたリストを参照して磁気ディスク１２に記録されている画像の中から未読影の画像を検出し，キーボード１４又はマウス１６を使用して読影する未読影の画像を選択する（又は必要に応じて読影済みの画像を選択する）。
　
【００１６】ＣＰＵ２０は，医師によって選択された画像を磁気ディスク１２から読み出し，モニタ１８にこの画像を表示する。そして，医師が読影を終了すると，この画像に対応する読影サインを読影済みのデータに書き換える。これにより，次回のリスト表示の際には，この画像は読影済みの画像として処理されるようになる。」
　
（３−ウ）「【００２６】
以上のように，医師によって読影する候補患者が選択されて「ＩＭＡＧＥ  ＬＩＳＴ」１１６のブロックがクリックされると，次にＣＰＵ２０は，選択された候補患者の画像について図６に示すような画像内容の詳細を示した画像リストの画面（画像リスト画面）を表示する。図６に示すように，画像リスト画面にはリスト表示番号（ＮＯ．）に続いて，患者番号（ＩＤ  ＮＯ．）１３２，検査（ＥＸＡＭ．ＤＡＴＥ）１３４，検査装置（ＤＶＣ）１３６，撮影部位（ＬＯＣＡＴＩＯＮ）１３８，画像枚数（ＩＭＡＧＥ）１４０等が表示される。これらの情報は，磁気ディスク１２のインデックスエリアにインデックス情報として記録されており，ＣＰＵ２０は患者リスト画面において選択された候補患者のインデックス情報をインデックスエリアから読み出してモニタ１８にリスト表示する。
　
【００２７】医師はこの画像リスト画面を参照し，読影する画像をマウス１６でクリックして選択する。このとき，選択された画像のリスト表示番号が網かけ表示される。そして，選択が終了した場合には，画面下部に表示された「ＤＩＡＧ」１４２のブロックをクリックする。」
　
第５　対比・判断
　
１　対比
　
　本願発明と引用発明とを対比する。
　
ア　引用発明における「サーバ２６の総合画像ファイル２４」は，上記（１−イ）のとおり，「各コンピュータ本体部（ＣＰ1 ，ＣＰ2 ）における画像ファイル１５および医用データベース１６は，それぞれ取り込んだ画像データあるいは医用データを一時的に保存するためのものであり，最終的にはサーバ２６の総合画像ファイル２４および総合データベース２５に保存される」ものであるから，本願発明における「画像記憶手段」に相当する。
　
イ　引用発明における「画像」，「表示画面」，および「医用画像表示システム」が，本願発明における「医用画像」，「読影画面」，および「医用画像表示装置」に相当することは明らかである。
　
ウ　引用発明における「４分割画面３３(1) 〜３３(4)」が，本願発明における「複数の表示枠」に相当することは明らかであり，また，図１２等から，「４分割画面３３(1) 〜３３(4)」それぞれに１つずつ画像を表示することは明らかであるから，引用発明における「ディスプレイ手段２２」は，本願発明における「表示手段」に相当する。
　
エ　上記記載事項（１−ウ）に「【００２５】そこで，
前記「検索」ボタン３４Ａを操作する
図６において，画像表示領域３３の右側には，図７に拡大して示すように，検索され選択された被検者の検索条件（図３および図４参照）を階層表示（ツリービュー）した階層表示領域３５Ａが設けられている。そして，この場合，図８に示すように，前記階層表示領域３５Ａの階層表示（ツリービュー）から，画像を表示したいリストを選択（複数選択可能）し，画像表示領域３３へドラッグ・アンド・ドロップ操作により，前記選択されたリストの画像を表示することができる。
　したがって，引用発明と本願発明とは，表示したい医用画像の情報の一覧表示を指示するための操作手段を備えている点で共通する。
　
オ　引用発明において，「画像を表示したいリストを選択（複数選択可能）」することや，「ドラッグ・アンド・ドロップ操作」が，前記「マウスやキーボード等からなる入力インタフェース２３」によって行われることは，上記エのとおり明らかであるから，上記ウおよびエより，引用発明における「画像を表示したいリストを選択（複数選択可能）し，画像表示領域３３の４分割画面３３(1) 〜３３(4)のいずれかへドラッグ・アンド・ドロップ操作により，前記選択されたリストの画像を表示する」ことは，本願発明における「操作手段により一覧表示から表示対象の医用画像を選択操作可能であるとともに，当該選択された医用画像の表示位置として，前記読影画面上に設けられた複数の表示枠のうち」，「任意の表示枠の１つを指定操作可能であ」ることに相当する。さらに，引用発明においても，医用画像が表示されていない任意の表示枠の一つを指定操作可能であることは明らかであるから，引用発明と本願発明とは，「前記操作手段により前記一覧表示から表示対象の医用画像を選択操作可能であるとともに，当該選択された医用画像の表示位置として，前記読影画面上に設けられた複数の表示枠のうち，医用画像が表示されていない任意の表示枠の１つを指定操作可能であ」る点で一致する。
　
カ　図１２等から，引用発明においても，複数の画像を「４分割画面３３(1) 〜３３(4)」により並列表示させているといえ，さらに，引用発明の「画像を表示したいリストを選択（複数選択可能）し，画像表示領域３３の４分割画面３３(1) 〜３３(4)のいずれかへドラッグ・アンド・ドロップ操作により，前記選択されたリストの画像を表示する」ことが，選択された画像を前記「４分割画面３３(1) 〜３３(4)」のいずれかに表示させるという動作を繰り返すことによって，前記「４分割画面３３(1) 〜３３(4)」のそれぞれに異なる画像を表示させているということを意味するのは明らかであるから，引用発明においても，先に選択した画像が表示されている前記「４分割画面」のいずれか一つの画面と，後に選択した画像を表示する前記「４分割画面」の別の画面とを並列表示させているといえる。
　したがって，引用発明と本願発明とは，一覧表示から前記操作手段により選択された医用画像を前記読影画面の前記指定された表示枠に表示し，当該表示枠を既に表示されている医用画像の表示枠と並列表示させている点で共通する。
　
　してみると，本願発明と引用発明は，
「画像記憶手段に記憶された医用画像を読み出し，読影画面上に複数の表示枠を設けて，１つの表示枠に１つの医用画像を表示する表示手段を備えた医用画像表示装置において，
　表示したい医用画像の情報の一覧表示を指示するための操作手段を備え，
　前記操作手段により前記一覧表示から表示対象の医用画像を選択操作可能であるとともに，当該選択された医用画像の表示位置として，前記読影画面上に設けられた複数の表示枠のうち，医用画像が表示されていない任意の表示枠の１つを指定操作可能であり，
　一覧表示から前記操作手段により選択された医用画像を前記読影画面の前記指定された表示枠に表示し，当該表示枠を既に表示されている医用画像の表示枠と並列表示させる医用画像表示装置。」
である点で一致し，次の点で相違する。
　
（相違点１）表示したい医用画像の情報の一覧が，本願発明では，「読影画面に表示された医用画像に関係する他の医用画像の情報の一覧であって，前記操作手段により一覧表示が指示操作されると，表示制御手段により，前記読影画面に表示された医用画像を示す情報によって当該医用画像に関係する他の医用画像の情報を前記画像記憶手段から取得し，当該取得された医用画像を示す情報の一覧を表示させている」のに対し，引用発明では，「読影画面に表示された医用画像に関係する他の医用画像の情報の一覧ではない」点。
　
（相違点２）本願発明では，他の医用画像を示す情報の一覧を，「前記指示操作がある間だけ読影画面上に表示させている」のに対し，引用発明では，画像の情報を示す一覧を，「常時表示させている」点。
　
（相違点３）本願発明では，表示制御手段が，「他の医用画像を示す情報の一覧表示が指示される毎に，前記他の医用画像を示す情報を取得し，前記一覧表示の表示項目として，取得された他の医用画像を示す情報に基づいて当該他の医用画像の内容を示す表示項目を生成して表示させている」のに対し，引用発明では，「画像の内容を示す表示項目を生成していない」点。
　
２　判断
　
　以下，上記各相違点について検討する。
　
（相違点１について）
　刊行物２には，上記記載事項（２−イ）のとおり，「等倍又はそれに準ずる大きさの医用画像を表示する領域」と，「関連する複数の医用画像を縮小した参照画像を表示するための領域」が設けられた「医用画像表示画面１３４」を有する医用画像撮影システムが記載されており，上記記載事項（２−カ）および（２−キ）のとおり，医用画像を表示する指示が入力されると，「指定された医用画像」及びこの医用画像に対応する「撮影オーダ情報」を「記憶装置１６」から取得し，取得した「撮影オーダ情報」と，「記憶装置１６」に記憶されている医用画像に対応付けられた「撮影オーダ情報」とに基づいて，「指定された医用画像」に関連する「関連医用画像」を取得し，取得した「関連医用画像」を縮小して「参照画像」を生成し，「指定された医用画像」と「参照画像」を「医用画像表示画面１３４」に表示することが記載されている。ここで，「撮影オーダ情報」とは，」上記記載事項（２−オ）のとおり，「患者ＩＤ，撮影日時，撮影部位等」であり，医用画像を示す情報であるといえる。
　したがって，刊行物２には，「指定された医用画像」を示す情報に基づいて，当該「指定された医用画像」に関係する他の医用画像を抽出することが記載されているといえる。
　また，上記記載事項（２−ク）に「【００５４】…
読影時には医用画像のみを表示させ，読影医の指示に応じて，医用画像の下部に参照画像を表示させる構成であってもよい。
　
　そして，引用発明と刊行物２に記載された技術事項とは，共に医用画像表示装置に関するものであるから，引用発明に刊行物２に記載された技術事項を適用し，引用発明において，読影画面に表示された医用画像を示す情報に基づいて，当該医用画像に関係する他の医用画像を抽出し，その情報の一覧を表示するよう為すことは，当業者が容易に為し得ることである。
　
（相違点２について）
　複数の画像から所望の画像を選択するために，表示したい画像の情報を示す一覧を，表示指示操作がある間だけ画面上に表示させることは，例えば特開平５−１８３８６３号公報の【００４６】〜【００４７】及び図面第８図，特開２００１−８４３８８号公報の【００３７】及び図面第１６図，特開２００２−３４２７４４号公報の【００４８】及び図面第６図，特開２００３−９１７８１号公報の【００５３】，【００５９】，及び図面第７図に記載されているように，画像表示の技術分野においては周知慣用技術である。
　
　そして，引用発明に上記周知慣用技術を適用し，引用発明において，表示したい画像の情報を示す一覧を，表示指示操作がある間だけ画面上に表示させることは，当業者が適宜選択し得る設計的事項に過ぎない。
　
（相違点３について）
　刊行物３には，上記記載事項（３−ウ）に「【００２６】以上のように，医師によって読影する候補患者が選択されて「ＩＭＡＧＥ  ＬＩＳＴ」１１６のブロックがクリックされると，次にＣＰＵ２０は，選択された候補患者の画像について図６に示すような画像内容の詳細を示した画像リストの画面（画像リスト画面）を表示する。図６に示すように，画像リスト画面にはリスト表示番号（ＮＯ．）に続いて，患者番号（ＩＤ  ＮＯ．）１３２，検査（ＥＸＡＭ．ＤＡＴＥ）１３４，検査装置（ＤＶＣ）１３６，撮影部位（ＬＯＣＡＴＩＯＮ）１３８，画像枚数（ＩＭＡＧＥ）１４０等が表示される。これらの情報は，磁気ディスク１２のインデックスエリアにインデックス情報として記録されており，ＣＰＵ２０は患者リスト画面において選択された候補患者のインデックス情報をインデックスエリアから読み出してモニタ１８にリスト表示する。…」とあるとおり，医師によって読影する候補患者が選択されると，「磁気ディスク１２」のインデックスエリアに記録されている「インデックス情報」，すなわち当該選択された候補患者の画像を示す情報が読み出され，読み出された「インデックス情報」に基づいて，「画像リスト画面」に，「リスト表示番号（ＮＯ．）に続いて，患者番号（ＩＤ  ＮＯ．）１３２，検査（ＥＸＡＭ．ＤＡＴＥ）１３４，検査装置（ＤＶＣ）１３６，撮影部位（ＬＯＣＡＴＩＯＮ）１３８，画像枚数（ＩＭＡＧＥ）１４０等」を表示することが記載されている。ここで，「画像リスト」とは，画像の情報の一覧表示であること，「リスト表示番号（ＮＯ．）に続いて，患者番号（ＩＤ  ＮＯ．）１３２，検査（ＥＸＡＭ．ＤＡＴＥ）１３４，検査装置（ＤＶＣ）１３６，撮影部位（ＬＯＣＡＴＩＯＮ）１３８，画像枚数（ＩＭＡＧＥ）１４０等」とは，選択された候補患者の画像内容の詳細を示す表示項目であること，および，前記「インデックス情報」に基づいて，前記「リスト表示番号（ＮＯ．）に続いて，患者番号（ＩＤ  ＮＯ．）１３２，検査（ＥＸＡＭ．ＤＡＴＥ）１３４，検査装置（ＤＶＣ）１３６，撮影部位（ＬＯＣＡＴＩＯＮ）１３８，画像枚数（ＩＭＡＧＥ）１４０等」の内容や数値等を生成していることは明らかである。また，医師の選択により，選択された候補患者の画像リストが表示されるのであるから，医師の選択は，表示したい画像を示す情報の一覧表示を指示するものであるといえる。
　そうすると，刊行物３には，表示したい画像を示す情報の一覧表示が指示される毎に，前記画像を示す情報を取得し，当該情報に基づいて前記画像内容の詳細を示す表示項目を生成して一覧表示していることが記載されているといえる。
　
　したがって，引用発明と刊行物３に記載された技術事項とは，共に医用画像表示装置に関するものであるから，引用発明に刊行物３に記載された技術事項を適用し，引用発明において，表示したい画像を示す情報の一覧表示が指示される毎に，前記画像を示す情報を取得し，当該情報に基づいて前記画像の内容の詳細を示す表示項目を生成して一覧表示させるよう為すことは，当業者が容易に想到し得ることである。
　
　そして，本願発明が奏する効果は，刊行物１〜３の記載事項，及び上記周知慣用技術から，当業者が予測できる範囲のものであり，格別顕著なものとはいえない。
　
３　請求人の主張について
　請求人は，平成２４年２月１３日に提出した意見書において，「…このように，比較読影にあたっては，比較対象となる医用画像の決定を容易とするため，既に表示されている医用画像を基準として比較対象の医用画像の情報を一覧化するという，表示技術一般には無い，医用画像に固有の課題があります。このような課題も含めて解決するため，常時表示しないことによって表示領域を確保するという周知慣用技術の技術的思想とは別に，本願発明には，
１）一覧表示の内容が動的に変動する，２）変動する基準（既に表示され，選択された医用画像）がある，３）一覧表示が指示される毎に，一覧表示の内容を生成する
　このような技術的思想は，周知慣用技術として挙げられた文献の何れにも無く，その示唆もありません。…」と主張している。
　しかしながら，刊行物３には，上記記載事項（３−イ）のとおり，一覧表示の内容は動的に変動するものであること，また，上記「相違点３について」のとおり，候補患者という「変動する基準」を有し，指示の度に，一覧表示の内容を生成するものであることが記載されており，「変動する基準」が候補患者か既に表示され選択された医用画像か，という差異はあるものの，請求人が主張した上記３つの技術思想は，刊行物３に記載されているといえる。さらに，既に表示され選択された画像を「変動する基準」とすることは，刊行物２に記載されている。
　
　したがって，請求人の上記主張は採用できない。
　
４　まとめ　
　
　以上のことから，本願発明は，引用発明，刊行物２および３に記載された技術事項，および周知慣用技術に基づいて，当業者が容易に発明をすることができたものである。
　
第６　むすび　
　
　以上のとおり，本願発明は，特許法第２９条第２項の規定により，特許を受けることができないから，その余の請求項に係る発明について言及するまでもなく，本願は拒絶されるべきものである。
　
　よって，結論のとおり審決する。